(57)【要約】【課題】嵩張っておらず部品数の少ない計時器ムーブメント用定力脱進機機構体を提供する。【解決手段】本発明は、ひげぜんまい及び輪列によって香箱に連結された脱進機装置を有する特に計時器ムーブメント用の定力脱進機機構体が定力補助スプリング（１１）を有する。脱進機機構体は、一方において脱進機装置（１）と協働し、他方においてひげぜんまいの軸に固定された制御部材と協働する衝撃レバー（８）を有する。定力補助スプリング（１１）は、その両端部のうちの一方が計時器ムーブメントのフレームの一部に固定され、その他方の端部は、衝撃レバー（８）に固定されている。【選択図】図１
2012215576.tif 000002
【特許請求の範囲】
【請求項１】
特にひげぜんまい及び輪列によって香箱に連結された脱進機装置を有する計時器ムーブメント用であり、定力補助スプリング（１１）を有する脱進機機構体であって、前記計時器ムーブメントのフレームの一部に枢着され、一方において前記脱進機装置（１）と協働し、他方において前記ひげぜんまいの心棒に固定された制御部材と協働する衝撃レバー（８）を有し、前記定力補助スプリング（１１）は、その両端部のうちの一方において前記計時器ムーブメントの前記フレームの一部に固定され、その他方の端部は、前記衝撃レバー（８）に角度をなして固定されている、機構体。
【請求項２】
前記衝撃レバー（８）は、前記計時器ムーブメントの前記フレームに対して角度的に及び軸方向に変位可能であるよう前記計時器ムーブメントに取り付けられている、請求項１記載の機構体。
【請求項３】
前記定力補助スプリング（１１）は、コイルスプリングである、請求項１又は２記載の機構体。
【請求項４】
前記コイルスプリングの内側端部は、前記衝撃レバー（８）に対して角度をなして固定されたひげ玉（１０）に固定され、その外側端部は、前記計時器ムーブメントの前記フレームの一部に固定されている、請求項３記載の機構体。
【請求項５】
前記衝撃レバーの回転軸は、前記脱進機装置と協働するロック軸（９）を形成している、請求項４記載の機構体。
【請求項６】
前記ひげ玉（１０）は、前記ロック軸（９）の軸方向変位中、前記ロック軸（９）と一緒に動く、請求項５記載の機構体。
【請求項７】
前記ひげ玉（１０）は、前記ロック軸（９）上を摺動することができるよう設けられている、請求項５記載の機構体。
【発明の詳細な説明】
【技術分野】
【０００１】
本発明は、特に計時器ムーブメント用の脱進機機構体に関し、特に、定力脱進機機構体に関する。
【背景技術】
【０００２】
計時器ムーブメント用の定力脱進機の目的は、ムーブメントのひげぜんまい（スプリングバランス）の振動を、連続して生じる同一の衝撃によって維持し、即ち、ひげぜんまいに計時器ムーブメントの香箱の巻回状態とは無関係に同一の大きさのエネルギーを提供することにある。
【０００３】
かかる定力脱進機機構体が知られており、かかる定力脱進機機構体は、典型的には、ムーブメントの香箱をムーブメントのガンギ車に連結する運動輪列中に挿入された補助スプリングを有する。例えば、スイス国特許第１２００２８号明細書では、補助スプリングは、ひげぜんまいの５回の振動ごとにしか巻き直されず、したがって、各衝撃に関してひげぜんまいに伝達されるトルクは、厳密には一定ではない。というのは、補助スプリングは、最初の衝撃と５回目の衝撃との間で弛緩するからである。
【０００４】
補助スプリングがガンギ車を作動させる手段としてのレバーアームの長さを変える機構体を用いた例えば欧州特許第１３１９９９７号明細書に記載された装置によってこの欠点を解決する試みがなされた。かかる機構体は、極めて複雑であって扱いにくく且つコスト高である。
【０００５】
欧州特許第１５２８４４３号明細書、スイス国特許第１３２４８号明細書又は独国特許第６１９４３３号明細書からも定力脱進機機構体が知られており、かかる定力脱進機機構体では、一定のトルクをガンギ車に伝達することができる補助スプリングはムーブメントの最終の歯車には挿入されておらず、ムーブメントに固定されて歯車列に作用する。これら機構体も又、極めて扱いにくい。というのは、これら機構体では、典型的には従来型脱進機機構体、パレットフォーク‐ガンギ車により占められる空間内に組み込むことができない歯車が必要だからである。
【先行技術文献】
【特許文献】
【０００６】
【特許文献１】スイス国特許第１２００２８号明細書
【特許文献２】欧州特許第１３１９９９７号明細書
【特許文献３】欧州特許第１５２８４４３号明細書
【特許文献４】スイス国特許第１３２４８号明細書
【特許文献５】独国特許第６１９４３３号明細書
【発明の概要】
【発明が解決しようとする課題】
【０００７】
本発明の目的は、ひげぜんまいが、連続して生じる同一の衝撃によって効果的に維持されるようにすると共にムーブメントの香箱をそのガンギ車に連結するムーブメントの最終歯車を設計変更することがなく、しかもそれほど嵩張ってはおらず、僅かな部品を有する定力脱進機機構体を提供することにある。本発明のもう１つの目的は、定力脱進機機構体の補助スプリングをガンギ車の心棒とひげぜんまいの心棒との間の空間内に組み込んで極めてコンパクトな定力脱進機機構体を得ることにある。本発明の更にもう１つの目的は、既存の定力脱進機機構体よりも良好な性能を有すると共に特にひげぜんまいへのトルクの伝達中における伝動チェーンの慣性を減少させた定力脱進機機構体を提供することにある。最後に、本発明の一目的は又、このようにして組み込まれた計時器ムーブメントの時刻測定を向上させることにある。
【課題を解決するための手段】
【０００８】
本発明は、ひげぜんまい及び輪列によって香箱に連結された脱進機歯車装置を有する特に計時器ムーブメント用の定力脱進機機構体であって、脱進機機構体は、定力補助スプリングを有する、脱進機機構体において、脱進機機構体は、計時器ムーブメントのフレームの一部に枢着されていて、一方において脱進機歯車装置と協働し、他方においてひげぜんまいの心棒に固定された制御部材と協働する衝撃レバーを有し、定力補助スプリングは、その両端部のうちの一方が計時器ムーブメントのフレームの一部に固定され、その他方の端部は、衝撃レバーに角度をなして固定されていることを特徴とする機構体に関する。
【０００９】
本発明は又、計時器ムーブメント又はムーブメントがかかる定力脱進機機構体を備えた計時器に関する。
【００１０】
本発明の計時器ムーブメント用の定力脱進機機構体の特定の実施形態が添付の図面に概略的に且つ例示として示されている。
【図面の簡単な説明】
【００１１】
【図１】本発明の計時器ムーブメント用の機構体の第１の実施形態の全体的斜視図である。
【図２】第１の機構体をその初期位置で示す平面図である。
【図２ａ】第１の機構体をその初期位置で示す側面図である。
【図３】衝撃レバーを解除したときの機構体の平面図である。
【図３ａ】衝撃レバーを解除したときの機構体の側面図である。
【図４】衝撃レバーの回転の終わりにおける機構体の平面図である。
【図４ａ】衝撃レバーの回転の終わりにおける機構体の側面図である。
【図５】衝撃レバーがガンギ車と係合しているときの機構体の平面図である。
【図５ａ】衝撃レバーがガンギ車と係合しているときの機構体の側面図である。
【図６】衝撃レバーの第１の巻き戻し段階の終わりにおける機構体の平面図である。
【図６ａ】衝撃レバーの第１の巻き戻し段階の終わりにおける機構体の側面図である。
【図７】衝撃レバーの第２の巻き戻し段階中における機構体の平面図である。
【図７ａ】衝撃レバーの第２の巻き戻し段階中における機構体の側面図である。
【図８】初期位置に戻っている際の機構体の平面図である。
【図８ａ】初期位置に戻っている際の機構体の側面図である。
【発明を実施するための形態】
【００１２】
図は、定力補助スプリング（ぜんまい）を有すると共にひげぜんまい及び輪列（時方輪列とも言う）によって香箱に連結された脱進機歯車装置を有する計時器ムーブメント内に組み込まれるようになった本発明の定力脱進機機構体を示している。この定力脱進機機構体の、他と区別される又は新規な特徴は、この定力脱進機機構体が一方において脱進機歯車装置及び他方においてひげぜんまいの心棒に固定された制御部材と協働するムーブメントのフレームの一部に枢着された衝撃レバーを有していること及び定力補助スプリングの両端部のうちの一方がムーブメントのフレームの一部に固定され、その他方の端部が衝撃レバーの軸に固定されていることにある。
【００１３】
例示として示された実施形態では、定力脱進機機構体は、脱進機装置１を有し、この脱進機装置１は、軸１．１に取り付けられていて、輪列又は時輪列（図示せず）により計時器ムーブメントの香箱（バレル）（図示せず）に運動学的に連結されたガンギカナ１．２を有する。
【００１４】
この脱進機装置１は、下側ガンギ車１．３、中間ガンギ車１．４及び上側ガンギ車１．５を更に有し、これら３つのガンギ車は全て、軸１．１に固定的に取り付けられている。この脱進機装置１は、計時器ムーブメントのフレームの一部、例えばこの計時器ムーブメントの底板、ブリッジ又はツールビロンケースに枢着されている。
【００１５】
この脱進機機構体は、計時器ムーブメントのフレームの一部に枢着されているひげぜんまい（図示せず）の軸２に固定された制御部材を更に有している。図示の例では、ひげぜんまいのこの軸２は、切欠き３．１を備えたガードピン安全ローラ３と、ピン４．１を備えていて、ガードピン案内ローラ３の下に配置されたピン安全ローラ４と、上側カム６．１を下面に備えた上側制御案内ローラ６と、下側カム７．１を上側制御安全ローラ６に向いている上面に備えた下側制御安全ローラ７と、衝撃フィンガ５．１を備えていて、上側制御安全ローラ６と下側制御安全ローラ７との間に配置された衝撃安全ローラ５とを有している。これら種々の安全ローラ及びこれらによって支持され又はこれらに取り付けられた要素は、以下に説明する脱進機機構体の１組の制御部材を構成する。
【００１６】
定力脱進機機構体は、計時器ムーブメントのフレームの一部に枢着された状態でこれに沿って長手方向に摺動することができるよう設けられた衝撃レバー８を更に有している。レバー８は、衝撃レバー８の回動平面に垂直にロック軸９に固定的に取り付けられている。このロック軸９は、好ましくは、ひげぜんまいの軸２及び脱進機装置１の回転軸１．１に平行に延びている。このロック軸９は、ひげ玉１０に角度をなして固定され、このひげ玉は、それ自体、定力補助スプリング（ぜんまい）１１の内側端部に固定的に取り付けられ、このスプリングの外側端部１１．１は、計時器ムーブメントのフレームの一部に固定されるよう設けられている。
【００１７】
図示の例では、ひげ玉１０は、ロック軸９に対して角度的に固定された状態でロック軸９上でこれに沿って摺動することができるよう設けられている（即ち、これらは、回転的に互いに固定され、即ち、一緒に回転可能である）。変形実施形態では、ひげ玉１０は、ロック軸９又は衝撃レバー８に固定されても良い。
【００１８】
衝撃レバー８は、下側ガンギ車１．３の衝撃歯付き構造体の歯と協働するようになった第１の歯形端部８．１を有している。この衝撃レバー８は、ひげぜんまいの軸に固定されている上側制御安全ローラ６と下側制御安全ローラ７との間に延びる第２の端部８．２を有し、この第２の端部は、上側カム６．１及び下側カム７．１と協働するようになっている。計時器ムーブメントのフレームの一部に固定された第１のピン１２が衝撃レバー８のための停止部として用いられる。定力補助スプリング１１は、衝撃レバー８を第２のピン１３の方向に変位させる傾向がある。
【００１９】
衝撃レバー８を支持したロック軸９は、そのロック端部９．１が上側ガンギ車１．５の第１のロック歯付き構造体と協働し、その回転を阻止する上位置と、上側ガンギ車１．５がこのロック軸９のロック端部９．１から解除される下位置との間で長手方向に変位可能である。
【００２０】
定力脱進機機構体は、計時器ムーブメントのフレームの一部に枢着されたロックレバー軸１４．１に固定されている４本のアームを備えたロックレバー１４を更に有している。このロックレバー１４は、第３のピン１５及び第４のピン１６と協働してロックレバー１４の角変位を制限する第１のアーム１４．２を有している。
【００２１】
ロックレバーは、第２のアーム１４．３を更に有し、この第２のアームの端部は、ロックレバー１４の角変位を制御する従来型スイスレバー脱進機のようにピン４．１又はガードピン安全ローラ３とそれぞれ協働するようになった二又部１４．４及びガードピン１４．５を有し、このロックレバー１４は、第３のアーム１４．６を更に有し、この第３のアームの自由端部は、衝撃レバー８を巻回位置において第１のピン１２に当てて保持する保持ストップとして用いられる。
【００２２】
最後に、このロックレバー１４は、第４のアーム１４．７を有し、この第４のアームの端部は、中間ガンギ車１．４の第２のロック歯付き構造体と協働するようになったフック１４．８を有している。
【００２３】
以下において、図２及び図２ａに示されている第１の実施形態のこの脱進機機構体の初期位置から始まって、この機構体の作動について説明する。
【００２４】
図２及び図２ａに示された初期位置では、脱進機装置１は、上位置にあるロック心棒９の端部９．１によってロックされている。衝撃レバー８も又、その第１の端部８．１が下側ガンギ車１．３の平面の上方に配置され、したがって、これとは協働しない上位置にある。
【００２５】
衝撃レバー８は、衝撃レバーを時計回りの方向（図で見て）に回転させる傾向のある定力補助スプリング１１のトルクの作用を受ける。衝撃レバー８は、ロックレバーの第３のアーム１４．６の端部によってロックされる。定力補助スプリング１１の作用を受けた衝撃レバー８は、これを第２のアーム１４．２によって第３のピン１５と当接関係をなして保持しているロックレバー１４の第３のアーム１４．６の端部を押す。ガードピン１４．５及びガードピン安全ローラ３は、機構体の不時のロック解除を阻止する。
【００２６】
ひげぜんまいは、反時計回りの方向に回転してピン安全ローラ４のピン４．１をロックレバー１４の二又部１４．４中に駆動し、それにより時計回りの方向におけるこのロックレバーの変位を生じさせ、ついには、その第２のアーム１４．２は、第４のピン１６（図３及び図４）に当接するようになる。衝撃レバー８は、解除されるが、脱進機装置１は、ロック軸９によって依然としてロックされている。
【００２７】
解除された衝撃レバー８は、定力補助スプリング１１の作用を受けて時計回りの方向に変位する。衝撃安全ローラ５の高さ位置にある衝撃レバーの第２の端部８．２は、衝撃フィンガ５．１に接触し、エネルギーをひげぜんまいに伝達し、ついには、衝撃レバー８が第２のピン１３に達するようになる。かくして、エネルギーは、衝撃レバー８が停止し、したがって、衝撃レバーの一部にから動きが生じないようになるまで伝えられる。
【００２８】
上側安全ローラ６の上側カム６．１の平面が傾斜していることにより、レバー８の下降が生じ、このレバーの第１の端部８．１は、下側ガンギ車１．３の衝撃歯付き構造体の２つの歯相互間に収容されている。下降中、衝撃レバーは、ロック軸９を駆動し、ついには、ロック軸がその下位置に達し、それによりロック軸の端部９．１が上側ガンギ車１．５（図５）の第１のロック歯付き構造体から逃げ出るやいなや脱進機装置１が解除される。
【００２９】
図示の実施形態では、ひげ玉１０は、軸９の上昇／下降中に用いられるスプリング１１のエネルギーがそれほど大きくないので軸９と一緒に動くことができる。しかしながら、一変形実施形態では、ひげ玉は、軸９との摺動リンクを用いて同一平面内に位置したままであっても良い。
【００３０】
脱進機装置１は、解除されると、反時計回りの方向に回転し、これを行う際、下側ガンギ車１．３の衝撃歯付き構造体は、衝撃レバー８を定力補助スプリング１１の作用に抗して時計回りの方向に駆動し、ついには、脱進機装置は、中間ガンギ車１．４（図６）の第２のロック歯付き構造体の経路内に位置するロックレバーの第４のアーム１４．７のフック１４．８によってロックされる。かくして、輪列及び脱進機装置１は、ロックレバー１４及び中間ガンギ車１．４によってロックされる。また、衝撃レバー８は、下側ガンギ車１．３によって回転するのが阻止される。ロックレバー１４は、このロックレバー１４の第４のアーム１４．７に加わる中間ガンギ車１．４の力によりピン１５に当てて保持される（力の向きは、レバーと脱進機との間の従来型スイスレバー脱進機の場合と同様であると考えられる）。ガードピン１４．５及びガイドピン安全ローラ３は、不時のロック解除を阻止する。ひげぜんまいは、その経路の半分を完了する。
【００３１】
次に、ひげぜんまいは、その回転方向を逆にする。ピン安全ローラのピン４．１は、脱進機装置１を解除するロックレバーの第２のアーム１４．３の二又部と協働し（従来型スイスレバー脱進機の場合と同様）、ロックレバーの第４のアームフック１４．８は、中間ガンギ車１．４（図７）の歯付き構造体から逃げ出る。
【００３２】
このようにして解除された脱進機装置１は、その時計回りの回転を再開し、下側ガンギ車１．３の衝撃歯付き構造体は、衝撃レバーの第１の端部８．１を駆動して定力補助スプリング１１を巻き戻し、ついには、衝撃レバーが第１のピン１２（図８）に当接するようになる。
【００３３】
下側制御安全ローラ７の下側カム７．１の平面が傾斜しているので、衝撃レバー８は、再び上昇し、衝撃レバーが下側ガンギ車１．３から離脱する。このようにする際、ロック軸９も又持ち上げられ、そのロック端部９．１は、上側ガンギ車１．５のロック歯付き構造体の２つの歯相互間に収容され、脱進機装置１及び輪列（図８）をロックする。ロックレバー１４の第３のアーム１４．６の端部は、衝撃レバー８をロックし、機構体は、その初期位置に戻る（図２）。
【００３４】
この新規な定力脱進機機構体は、単純であり、多くの部品を備えておらず、特に、既存の定力脱進機よりも部品数が少ない。定力脱進機機構体の扱いにくさは、その部品数が少なく且つ補助スプリングがひげぜんまいの軸２と脱進機装置の軸１．１との間に収容され、即ち、組み込まれているので減少している。
【００３５】
上述の実施形態では、定力脱進機機構体は、ロックレバーのロック軸９及び第４のアーム１４．７により実行される脱進機装置１のロック機能と衝撃レバー８及び定力補助スプリング１１を用いて実行される衝撃機能を分けているという特徴を有する。この特定の実施形態（これは、本出願人により同日に特許出願として出願された別の特許出願の内容でもある）は、衝撃段階中、脱進機装置１及びかくしてムーブメントの輪列全体は、衝撃の際の可動部品の慣性が極めて小さいようにロックされ、かくして、脱進機装置１の反動が阻止されるので別の利点を有する。さらに、衝撃レバーの角度運動全体が、この実施形態では無駄な動きがなく、効果的に能動的である。これらの構成により、脱進機機構体の性能は、この脱進機機構体を備えたムーブメントの時刻測定の精度と同様大幅に向上する。最後に、各衝撃の際にひげぜんまいに伝達されるエネルギーは、厳密に一定である。というのは、このエネルギーは、各衝撃相互間で巻き戻る補助スプリングでのみ決まるからである。
【００３６】
図示の実施形態では、ロック軸９により形成される調節部材は、衝撃レバー８に固定的に取り付けられ、このロック軸は、その回動軸として用いられる。変形実施形態では、調節部材は、衝撃レバー８とは別個独立であっても良く、この調節部材は、ひげぜんまいの軸２に固定されている下側制御安全ローラ７及び上側制御安全ローラ６により支持された別の１対のカムによって制御される。
【００３７】
図示の例では、脱進機装置１は、各々が歯付き構造体を備えた３つのガンギ車１．３，１．４，１．５を有している。
【００３８】
衝撃歯付き構造体は、下側ガンギ車１．３によって支持されていて、この衝撃歯付き構造体は、衝撃レバー８と協働し、第２のロック歯付き構造体は、中間ガンギ車１．４によって支持され、この第２のロック歯付き構造体は、ロックレバー１４の第４のアーム１４．７と協働し、第１のロック歯付き構造体は、上側ガンギ車１．５によって支持され、この第１のロック歯付き構造体は、ロック軸９と協働する。ガンギ車の個数を脱進機装置１が衝撃レバー８、ロックレバー１４及びロック軸９とそれぞれ協働する３つの歯付き構造体を有する限り、減少させることができる。これら３つの歯付き構造体は、事実、歯車１つだけ又は２つで支持することができる。
【００３９】
定力脱進機機構体のこの実施形態の別の変形例では、ロックレバーが設けられず、この場合、脱進機装置は、衝撃レバーに固定されたロック心棒だけでロックされる。この場合、ロック軸は、ひげぜんまい軸によって支持された３つのカムにより制御される３つの別々の軸方向位置を有する。
【００４０】
一般的に言って、本発明の定力脱進機機構体は、種々の他の形態を取ることができ、例えば、衝撃レバー及び調節部材が同一平面内で又は互いに平行な平面内で動く、より従来型の脱進機の形態を取ることができる。本発明の必要不可欠な特徴は、脱進機機構体が計時器ムーブメントのフレームの一部に枢着されていて、一方において脱進機装置と協働し、他方においてひげぜんまいの心棒に固定された制御部材と協働する衝撃レバー並びに定力補助スプリングを有し、この定力補助スプリングがその両端部のうちの一方が計時器ムーブメントのフレームの一部に固定され、その他方の端部が衝撃レバーに角度をなして固定されていることにある。
【符号の説明】
【００４１】
１  脱進機機構体
１．１  軸
１．２  ガンギカナ
１．３  下側ガンギ車
１．５  上側ガンギ車
２  軸
３  ガードピン案内ローラ
４  ピン案内ローラ
４．１  ピン
５  衝撃安全ローラ
５．１  衝撃フィンガ
６  上側制御安全ローラ
６．１  上側カム
７  下側制御安全ローラ
７．１  下側カム
８  衝撃レバー
９  ロック軸又は調節部材
１１  定力補助スプリング
【図１】
2012215576.tif 000003
【図２】
2012215576.tif 000004
【図２ａ】
2012215576.tif 000005
【図３】
2012215576.tif 000006
【図３ａ】
2012215576.tif 000007
【図４】
2012215576.tif 000008
【図４ａ】
2012215576.tif 000009
【図５】
2012215576.tif 000010
【図５ａ】
2012215576.tif 000011
【図６】
2012215576.tif 000012
【図６ａ】
2012215576.tif 000013
【図７】
2012215576.tif 000014
【図７ａ】
2012215576.tif 000015
【図８】
2012215576.tif 000016
【図８ａ】
2012215576.tif 000017
【外国語明細書】
2012215576.tif 000018
2012215576.tif 000019
2012215576.tif 000020
2012215576.tif 000021
2012215576.tif 000022
2012215576.tif 000023
2012215576.tif 000024
2012215576.tif 000025
2012215576.tif 000026
2012215576.tif 000027
2012215576.tif 000028
2012215576.tif 000029
2012215576.tif 000030
2012215576.tif 000031
2012215576.tif 000032
2012215576.tif 000033
2012215576.tif 000034
2012215576.tif 000035
2012215576.tif 000036
2012215576.tif 000037
2012215576.tif 000038
2012215576.tif 000039
2012215576.tif 000040
2012215576.tif 000041